【手続補正書】
【提出日】平成28年1月21日(2016.1.21)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
遊技者とって有利な第１状態と該第１状態よりも遊技者にとって不利な第２状態とに制御可能な状態制御手段と、
前記状態制御手段によっていずれの状態に制御されているかにもとづいて示唆演出を実行する示唆演出実行手段と、
前記示唆演出実行手段によって実行される前記示唆演出の候補を示す複数の選択肢を提示する選択肢提示手段と、
前記選択肢提示手段によって提示された複数の選択肢のうち、前記示唆演出実行手段によって実行される前記示唆演出に対応した選択肢を報知する報知手段とを備え、
前記示唆演出実行手段は、前記示唆演出として前記状態制御手段によって前記第１状態に制御されている可能性が高いことを示唆する第１示唆演出または該第１示唆演出よりも前記状態制御手段によって前記第１状態に制御されている可能性が低いことを示唆する第２示唆演出を実行可能であり、
前記選択肢提示手段は、前記報知手段によって前記第２示唆演出に対応した選択肢が報知されるときには、選択肢として前記第２示唆演出に対応した選択肢を提示するとともに、前記第１示唆演出に対応した選択肢を提示することを制限し、
複数の選択肢のうち選択された状態の選択肢を強調表示する
ことを特徴とする遊技機。
【手続補正２】
【補正対象書類名】明細書
【補正対象項目名】０００７
【補正方法】変更
【補正の内容】
【０００７】
（手段１）本発明による遊技機は、遊技を行うことが可能な遊技機であって、遊技者とって有利な第１状態（例えば、確変状態）と該第１状態よりも遊技者にとって不利な第２状態（例えば、通常遊技状態、時短状態）とに制御可能な状態制御手段（例えば、遊技制御用マイクロコンピュータ１００におけるステップＳ３２４，Ｓ３２５を実行する部分）と、状態制御手段によっていずれの状態に制御されているかにもとづいて示唆演出（例えば、全図柄変動中予告）を実行する示唆演出実行手段（例えば、演出制御用マイクロコンピュータにおけるステップＳ４６３を実行して全図柄変動中予告を実行する部分）と、示唆演出実行手段によって実行される示唆演出の候補を示す複数の選択肢を提示する選択肢提示手段（例えば、演出制御用マイクロコンピュータにおけるステップＳ４６３を実行して選択演出を実行するときに図２０〜図２２に示すように選択肢ＳＥＬ１〜ＳＥＬ３を表示する部分）と、選択肢提示手段によって提示された複数の選択肢のうち、示唆演出実行手段によって実行される示唆演出に対応した選択肢を報知する報知手段（例えば、演出制御用マイクロコンピュータにおけるステップＳ４６３を実行して選択演出を実行するときに図２０（Ｃ）〜図２２（Ｃ）に示すように最終的に１つの選択肢を選択して報知する部分）とを備え、示唆演出実行手段は、示唆演出として状態制御手段によって第１状態に制御されている可能性が高いことを示唆する第１示唆演出（例えば、高信頼度の全図柄変動中予告）または該第１示唆演出よりも状態制御手段によって第１状態に制御されている可能性が低いことを示唆する第２示唆演出（例えば、中信頼度の全図柄変動中予告）を実行可能であり、選択肢提示手段は、報知手段によって第２示唆演出に対応した選択肢が報知されるときには、選択肢として第２示唆演出に対応した選択肢を提示するとともに、第１示唆演出に対応した選択肢を提示することを制限し（例えば、演出制御用マイクロコンピュータは、図４４に示すように、中信頼度（赤色）の選択肢が最終的に選択される場合には、高信頼度（ピンク色や桜柄）の選択肢を含む演出態様（ＳＰ７、ＳＰ１０、ＳＰ１１、ＳＰ１４、ＳＰ１５、ＳＰ１６、ＳＰ１７）を低い割合で決定し、図２１に示すように、高信頼度の選択肢を含まない態様で選択演出を実行する割合を高くする）、複数の選択肢のうち選択された状態の選択肢を強調表示することを特徴とする。そのような構成により、複数の選択肢の中から相対的に期待度が低いものが選択されて遊技者が落胆してしまうことを防止することができる。
【手続補正３】
【補正対象書類名】明細書
【補正対象項目名】０００８
【補正方法】変更
【補正の内容】
【０００８】
（手段２）手段１において、状態制御手段は、第１状態として通常状態と比較して特定表示結果が導出表示される割合を高めた高確率状態（例えば、確変状態）に制御し、第２状態として通常状態（例えば、通常遊技状態、時短状態）に制御するように構成されていてもよい。そのような構成によれば、示唆演出によって第１状態に制御されているか否かを示唆できるので、示唆演出に対する興趣を向上させることができる。
【手続補正４】
【補正対象書類名】明細書
【補正対象項目名】０００９
【補正方法】変更
【補正の内容】
【０００９】
（手段３）手段１または手段２において、選択肢提示手段は、第１状態に制御されていることが確定することを示す第３示唆演出（例えば、金色の全図柄変動中予告）に対応した選択肢（例えば、金色の選択肢）を提示可能であり、報知手段は、選択肢提示手段によって第３示唆演出に対応した選択肢が提示されると、該第３示唆演出に対応した選択肢を報知する（例えば、演出制御用マイクロコンピュータ１００は、図４１（Ｂ）に示すように、現在確変状態に制御されている場合にのみ金色の選択肢を選択して選択演出を実行可能である）ように構成されていてもよい。そのような構成によれば、第１状態に制御されていることが確定することを示す第３示唆演出を設けることによって、示唆演出に対する期待感を向上させることができる。
【手続補正５】
【補正対象書類名】明細書
【補正対象項目名】００１０
【補正方法】変更
【補正の内容】
【００１０】
（手段４）手段１から手段３のうちのいずれかにおいて、報知手段によって第２示唆演出に対応した選択肢が報知されるときに選択肢提示手段によって第１示唆演出に対応した選択肢が提示された場合には、報知手段によって第２示唆演出に対応した選択肢が報知されるときに選択肢提示手段によって第１示唆演出に対応した選択肢が提示されなかった場合と比較して、第１状態に制御されている割合が高い（例えば、演出制御用マイクロコンピュータは、図４４に示すように、現在確変状態に制御されている場合には、現在確変状態に制御されていない場合と比較して、高信頼度（ピンク色や桜柄）の選択肢を含む演出態様（ＳＰ７、ＳＰ１０、ＳＰ１１、ＳＰ１４、ＳＰ１５、ＳＰ１６、ＳＰ１７）を高い割合で決定可能である）ように構成されていてもよい。そのような構成によれば、複数の選択肢の中から相対的に期待度が低いものが選択されてしまった場合であっても、遊技者の落胆を軽減することができる。
【手続補正６】
【補正対象書類名】明細書
【補正対象項目名】００１１
【補正方法】変更
【補正の内容】
【００１１】
（手段５）手段１から手段４のうちのいずれかにおいて、選択肢提示手段によって提示された選択肢の数に応じて、第１状態と第２状態とのいずれに制御されているかの割合が異なる（例えば、演出制御用マイクロコンピュータは、図４４に示すように、現在確変状態に制御されている場合には、現在確変状態に制御されていない場合と比較して、選択肢が４つ表示される演出態様（ＳＰ２０）を高い割合で決定可能である）ように構成されていてもよい。そのような構成によれば、選択肢の内容だけでなく、提示される選択肢の数にも注目させることができる。